(57)【要約】【課題】比較的簡単な構成で小型化を実現し得る電気泳動表示装置および高い信頼性により小型化が実現された電子機器を提供すること。【解決手段】電気泳動表示装置１０は、素子基板（第１基板）５１と、対向基板（第２基板）５２と、電気泳動粒子３４とを備える。そして、素子基板５１は、対向基板５２より大きく形成され、素子基板５１から見た平面視で対向基板５２から延出する延出部を備え、延出部の電気泳動粒子３４側の縁部に、第１端子を有する。電気泳動表示装置１０は、第１端子に電気的に接続された第１可撓性配線基板６５と、延出部の第１可撓性配線基板６５が接続されている領域に対応して、第１可撓性配線基板６５の素子基板５１と反対側に設けられた補強板７１とを有する。補強板７１は、前記平面視で、延出部の端面から突出する突出部を備え、延出部の端面から突出部の端面までの距離が０．１４ｍｍ以上１．００ｍｍ以下である。【選択図】図５
2017049365.tif 000002
【特許請求の範囲】
【請求項１】
第１電極を備える第１基板と、
前記第１基板と対向して配置され、第２電極を備える第２基板と、
前記第１基板と前記第２基板との間に配置される電気泳動粒子とを備える電気泳動表示装置であって、
前記第１基板は、前記第２基板と比較して大きく形成され、前記第１基板から見た平面視で前記第２基板から延出する延出部を備え、該延出部の前記電気泳動粒子が配置された側の縁部に、前記第１電極に電気的に接続された第１端子を有し、
前記電気泳動表示装置は、前記第１端子と電気的に接続された第１可撓性配線基板と、
前記延出部の前記第１可撓性配線基板が接続されている領域に対応して、前記第１可撓性配線基板の前記第１基板との反対側に設けられた補強板とを有し、
前記補強板は、前記第１基板から見た平面視で、前記延出部の端面から突出した突出部を備え、前記延出部の端面から前記突出部の端面までの距離が０．１４ｍｍ以上１．００ｍｍ以下であることを特徴とする電気泳動表示装置。
【請求項２】
前記補強板は、前記第１可撓性配線基板に、接合層を介して接合されている請求項１に記載の電気泳動表示装置。
【請求項３】
前記補強板は、前記第１可撓性配線基板に一体的に設けられた厚膜部で構成される請求項１に記載の電気泳動表示装置。
【請求項４】
前記第２基板の前記電気泳動粒子が配置された側とは反対側に設けられた導光板と、
前記補強板の前記第１可撓性配線基板が配置された側とは反対側に、第２可撓性配線基板を介して設けられた光源とを有し、
前記光源が備える端子と、前記第２可撓性配線基板とが、異方性導電接着剤を介して電気的に接続され、
前記光源から発光された光が、前記導光板の側面に備える導光部から、前記導光板内に導かれる請求項１ないし３のいずれか１項に記載の電気泳動表示装置。
【請求項５】
前記補強板は、前記光源の前記導光部に対する高さ方向に対する位置を調整するスペーサーとして機能する請求項４に記載の電気泳動表示装置。
【請求項６】
請求項１ないし５のいずれか１項に記載の電気泳動表示装置と、
前記第１基板の前記電気泳動粒子が配置された側とは反対側に設けられた回路基板とを有し、
前記回路基板が備える第２端子と前記第１可撓性配線基板が電気的に接続されていることを特徴とする電子機器。
【請求項７】
収納空間を備える筐体を有し、
前記収納空間内に、前記電気泳動表示装置および前記回路基板が収納される請求項６に記載の電子機器。
【発明の詳細な説明】
【技術分野】
【０００１】
本発明は、電気泳動表示装置および電子機器に関するものである。
【背景技術】
【０００２】
従来から、粒子の電気泳動を利用した電気泳動表示装置が知られており、この電気泳動表示装置は、可搬性および省電力性を有している点で優れている。
【０００３】
この電気泳動表示装置では、電気泳動粒子を含む電気泳動分散液を挟んで対向する画素電極と共通電極との間に電圧を印加して、帯電した黒粒子や白粒子等の電気泳動粒子を空間的に移動させることで表示領域に画像を形成している。電気泳動表示装置としては、例えば、一対の基板間、すなわち、バックプレーン基板と対向基板との間を隔壁によって複数の空間に区画し、各空間内に電気泳動粒子および分散媒を含む電気泳動分散液からなる電気泳動層を封入した構成のものが知られている。
【０００４】
このような電気泳動表示装置は、電子ペーパー（ＥＰＤ：Electronic Paper Display）や時計等の電子機器が有する筐体内に収納して使用され、かかる電子機器の表示部としての機能を発揮する。
【０００５】
この電子機器において、電気泳動表示装置と、電子機器が備える回路基板との電気的な接続は、可撓性配線基板やボンディングワイヤ等の導通部材を介して行われる（例えば、特許文献１参照。）。
【０００６】
具体的には、電気泳動表示装置が備えるバックプレーン基板の縁部に設けられた端子と、電子機器が備える回路基板に設けられた端子とに、それぞれ、前記導通部材の一端と他端とを電気的に接続することで行われる。
【０００７】
ここで、バックプレーン基板の縁部における端子の形成は、電気泳動層側（電気泳動表示装置の表側）、または、電気泳動層の反対側（電気泳動表示装置の裏側）に行うことが考えられる。
【０００８】
電気泳動層の反対側に端子を形成する場合、バックプレーン基板において、画素電極が電気泳動層側に形成されることから、電気泳動層の反対側に端子を形成するには、バックプレーン基板にビア等を設ける必要があるため、構成部品数が多くなり、製造時間も長くなってしまうという問題があった。
【０００９】
また、電気泳動層側に端子を形成した場合、電子機器において、通常、回路基板は、電気泳動表示装置の裏側（下側）に配置される。そのため、バックプレーン基板の端子と、回路基板の端子とを、可撓性配線基板（フレキシブル基板）を用いて電気的に接続すると、可撓性配線基板は、電気泳動表示装置の裏側に曲げられる。この可撓性配線基板の曲げにより、バックプレーン基板の縁部に可撓性配線基板が接触することとなるが、この接触による、可撓性配線基板が備える配線パターンの断線が生じないよう配慮する必要がある。
【００１０】
この断線を防止する方法として、例えば、パックプレーン基板の縁部に残存するバリを除去することが考えられるが、この場合、バリを除去するバリ除去工程を追加する必要があり、時間と手間を要するという問題が生じる。
【００１１】
さらに、バックプレーン基板の縁部に可撓性配線基板が接触しないように、可撓性配線基板を前記縁部から離すように曲げることも考えられるが、この場合、電気泳動表示装置を収納する筐体を大きくする必要があり、電気機器の大型化を招くと言う問題があった。
【先行技術文献】
【特許文献】
【００１２】
【特許文献１】特開２００９−１１５６８６号公報
【発明の概要】
【発明が解決しようとする課題】
【００１３】
本発明の目的は、比較的簡単な構成で小型化を実現し得る電気泳動表示装置および高い信頼性により小型化が実現された電子機器を提供することにある。
【課題を解決するための手段】
【００１４】
このような目的は、下記の本発明により達成される。
本発明の電気泳動表示装置は、第１電極を備える第１基板と、
前記第１基板と対向して配置され、第２電極を備える第２基板と、
前記第１基板と前記第２基板との間に配置される電気泳動粒子とを備える電気泳動表示装置であって、
前記第１基板は、前記第２基板と比較して大きく形成され、前記第１基板から見た平面視で前記第２基板から延出する延出部を備え、該延出部の前記電気泳動粒子が配置された側の縁部に、前記第１電極に電気的に接続された第１端子を有し、
前記電気泳動表示装置は、前記第１端子と電気的に接続された第１可撓性配線基板と、
前記延出部の前記第１可撓性配線基板が接続されている領域に対応して、前記第１可撓性配線基板の前記第１基板との反対側に設けられた補強板とを有し、
前記補強板は、前記第１基板から見た平面視で、前記延出部の端面から突出した突出部を備え、前記延出部の端面から前記突出部の端面までの距離が０．１４ｍｍ以上１．００ｍｍ以下であることを特徴とする。
【００１５】
これにより、比較的簡単な構成で小型化が実現された電気泳動表示装置を得ることができる。また、この電気泳動表示装置を備える電子機器を、高い信頼性により小型化が実現されたものとすることができる。
【００１６】
本発明の電気泳動表示装置では、前記補強板は、前記第１可撓性配線基板に、接合層を介して接合されていることが好ましい。
【００１７】
これにより、比較的簡単な構成で小型化が実現された電気泳動表示装置を得るための補強板を、第１可撓性配線基板に対して、容易に設けることができる。
【００１８】
本発明の電気泳動表示装置では、前記補強板は、前記第１可撓性配線基板に一体的に設けられた厚膜部で構成されることが好ましい。
【００１９】
これにより、比較的簡単な構成で小型化が実現された電気泳動表示装置を得るための補強板を、第１可撓性配線基板に対して、容易に設けることができる。
【００２０】
本発明の電気泳動表示装置では、前記第２基板の前記電気泳動粒子が配置された側とは反対側に設けられた導光板と、
前記補強板の前記第１可撓性配線基板が配置された側とは反対側に、第２可撓性配線基板を介して設けられた光源とを有し、
前記光源が備える端子と、前記第２可撓性配線基板とが、異方性導電接着剤を介して電気的に接続され、
前記光源から発光された光が、前記導光板の側面に備える導光部から、前記導光板内に導かれることが好ましい。
【００２１】
これにより、暗所においても、電気泳動粒子の泳動により表示された画像を、使用者により視認することができるようになる。
【００２２】
本発明の電気泳動表示装置では、前記補強板は、前記光源の前記導光部に対する高さ方向に対する位置を調整するスペーサーとして機能することが好ましい。
【００２３】
このような補強板により、補強板に光源が載置された際に、光源を導光板が備える導光路に対応するように載置することができる。
【００２４】
本発明の電子機器は、本発明の電気泳動表示装置と、
前記第１基板の前記電気泳動粒子が配置された側とは反対側に設けられた回路基板とを有し、
前記回路基板が備える第２端子と前記第１可撓性配線基板が電気的に接続されていることを特徴とする。
これにより、高い信頼性により小型化が実現された電子機器が得られる。
【００２５】
本発明の電子機器では、収納空間を備える筐体を有し、
前記収納空間内に、前記電気泳動表示装置および前記回路基板が収納されることが好ましい。
これにより、高い信頼性により小型化が実現された電子機器が得られる。
【図面の簡単な説明】
【００２６】
【図１】本発明の電気泳動表示装置が搭載された電子機器の実施形態を示す斜視図である。
【図２】本発明の電気泳動表示装置の電気的な構成の第１実施形態を示す等価回路図である。
【図３】本発明の電気泳動表示装置の構造の第１実施形態を示す模式平面図である。
【図４】図３に示す電気泳動表示装置のＡ−Ａ’線断面図である。
【図５】図１に示す電子機器が備える筐体に図３に示す電気泳動表示装置が収納された状態を示す拡大縦断面である。
【図６】図５に示す電気泳動表示装置の点線部分を拡大して示す部分拡大縦断面である。
【図７】本発明の電気泳動表示装置の第２実施形態の一部を拡大して示す部分拡大縦断面である。
【図８】本発明の電気泳動表示装置の第３実施形態の一部を拡大して示す部分拡大縦断面である。
【発明を実施するための形態】
【００２７】
以下、本発明の電気泳動表示装置および電子機器を添付図面に示す好適な実施形態に基づいて詳細に説明する。
【００２８】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を含むものとする。
【００２９】
＜電子機器＞
まず、本発明の電気泳動表示装置を説明するのに先立って、本発明の電気泳動表示装置を備える電子機器（本発明の電子機器）について説明する。
【００３０】
図１は、本発明の電気泳動表示装置が搭載された電子機器の実施形態を示す斜視図である。なお、使用する図面（図１および以下で示す図を含む）は、説明する部分が認識可能な状態となるように、適宜拡大または縮小して表示している。
【００３１】
図１に示すように、本実施形態では、電子機器１００は、電気泳動表示装置１０と、電子機器１００を操作するためのインターフェイスと、これら電気泳動表示装置１０およびインターフェイスを収納する筐体２００とを備える電子ペーパー（ＥＰＤ：Electronic Paper Display）である。なお、インターフェイスは、具体的には、例えば、操作部１１０で、スイッチ等から構成される。
【００３２】
電気泳動表示装置１０は、本発明の電気泳動表示装置で構成され、表示領域Ｅを有するディスプレイモジュールである。表示領域Ｅは複数の画素から成り、これらの画素が電気的に制御される事で表示領域Ｅに画像が表示される。
【００３３】
なお、電気泳動表示装置１０を備えた電子機器１００として、図１に示す、電子ペーパー（ＥＰＤ）の他、ウォッチ、リスタブル機器、スマートフォン、タブレット端末、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネル等に適用することができる。
【００３４】
＜電気泳動表示装置＞
＜＜第１実施形態＞＞
次に、かかる電子機器１００が備える電気泳動表示装置１０の第１実施形態について説明する。
【００３５】
図２は、本発明の電気泳動表示装置の電気的な構成の第１実施形態を示す等価回路図、図３は、本発明の電気泳動表示装置の構造の第１実施形態を示す模式平面図、図４は、図３に示す電気泳動表示装置のＡ−Ａ’線断面図、図５は、図１に示す電子機器が備える筐体に図３に示す電気泳動表示装置が収納された状態を示す拡大縦断面、図６は、図５に示す電気泳動表示装置の点線部分を拡大して示す部分拡大縦断面である。なお、図４〜６中においては、図中の上側を「上」、下側を「下」として説明を行う。
【００３６】
図２に示すように、電気泳動表示装置１０は、複数のデータ線１２と、複数の走査線１３とを有し、データ線１２と走査線１３とが交差する部分に画素１１が配置される。具体的には、電気泳動表示装置１０は、データ線１２と走査線１３とに沿ってマトリクス状に配置された複数の画素１１を有している。各画素１１は、画素電極（第１電極）２１と共通電極（第２電極）２２との間に配置された電気泳動粒子３４と分散媒１５とを含む電気泳動分散液からなる電気泳動層３３を有する。
【００３７】
画素電極２１は、トランジスター１６（ＴＦＴ１６）を介してデータ線１２に接続されている。また、ＴＦＴ１６のゲート電極は、走査線１３に接続されている。なお、図２は、例示であり、必要に応じて保持容量等の他の素子が組み込まれてもよい。
【００３８】
また、図３および図４に示すように、電気泳動表示装置１０は、素子基板（第１基板）５１と、対向基板（第２基板）５２と、電気泳動層３３とを有する。
【００３９】
素子基板５１が備える、例えば、透光性を有するガラス基板からなる第１基材３１上には、各画素１１に対応して画素電極（第１電極）２１が配置されている。
【００４０】
詳述すると、図３および図４に示すように、画素１１（画素電極２１）は、例えば、素子基板５１の平面に垂直な方向から平面視した際にマトリクス状に形成されている。画素電極２１の材料としては、例えば、ＩＴＯ（錫を添加した酸化インジウム：Indium Tin Oxide）等の光透過性材料が用いられる。
【００４１】
第１基材３１と画素電極２１との間には、図示しない回路部が設けられており、回路部の中にＴＦＴ１６等が形成されている。ＴＦＴ１６は、図示しないコンタクト部を介して、各画素電極２１と電気的に接続されている。なお、図示しないが、回路部の中には、ＴＦＴ１６の他、各種配線（例えば、データ線１２や走査線１３等）や素子（例えば、容量素子）等が配置されている。画素電極２１上を含む第１基材３１上の全面には、絶縁層３２が形成されている。なお、電気泳動表示装置１０の構成に応じて、絶縁層３２を設けない構成とすることもできる。
【００４２】
素子基板５１と対向して配置された、対向基板５２が備える、例えば、透光性を有するガラス基板からなる第２基材４１の上側（図４における分散媒１５側）には、複数の画素１１に対応して共通に設けられた共通電極（第２電極）２２が形成されている。共通電極２２としては、例えば、ＩＴＯ等の光透過性材料が用いられる。また、共通電極２２の下には、封止層４２が形成されている。
【００４３】
絶縁層３２と封止層４２との間には、電気泳動層３３が配置されている。
電気泳動層３３は、少なくとも１以上の電気泳動粒子３４と、電気泳動粒子３４が分散された分散媒１５とを含む電気泳動分散液で構成され、この電気泳動分散液（分散媒１５および電気泳動粒子３４）は、絶縁層３２と、封止層４２と、第１基材３１上に設けられた隔壁３５（リブ）と、により仕切られた（分割された）空間（領域）に充填されている。
【００４４】
隔壁３５は、図３に示すように、碁盤目状に形成されている。なお、隔壁３５は、透光性材料（アクリルやエポキシ樹脂等）であることが好ましい。
【００４５】
なお、本実施形態では、各画素１１に画素電極２１が配置され、各画素電極２１に前記隔壁３５（リブ）が配置されている構成としたが、これに限定されず、複数の画素毎（例えば２〜２０画素毎）に、隔壁（リブ）が形成されても良い。
【００４６】
また、素子基板５１と対向基板５２とを貼り合せた際、隔壁３５の上部が対向基板５２（具体的には、封止層４２）に接触することにより、隔壁３５の高さを基準に素子基板５１と対向基板５２との間のセルギャップを決めることができる。
【００４７】
なお、隔壁３５によって囲まれた領域をセル３６と言う。一つのセル３６は、画素電極２１と、共通電極２２と、電気泳動層３３とを含む。
【００４８】
また、隔壁３５の高さは、この隔壁３５により区画される電気泳動層３３の厚さとほぼ等しくなり、例えば、１０μｍ以上１５０μｍ以下であることが好ましく、２０μｍ以上１００μｍ以下であることがより好ましく、特に好ましくは３０μｍ程度に設定される。これにより、電気泳動粒子３４の移動による白表示と黒表示とを優れたコントラストで表示することが可能となる。
【００４９】
さらに、第１基材３１および第２基材４１の厚さは、特に限定されないが、通常、０．５ｍｍ程度のものが好ましく用いられる。
【００５０】
また、図４に示すように、電気泳動粒子３４として、本実施形態では、白色粒子と黒色粒子とを示している。
【００５１】
例えば、画素電極２１と共通電極２２との間に電圧を印加すると、これらの間に生じる電界にしたがって、電気泳動粒子３４は、いずれかの電極（画素電極２１、共通電極２２）に向かって電気泳動する。例えば、白色粒子が正荷電を有する場合、画素電極２１を負電位とすると、白色粒子は、画素電極２１側（下側）に移動して集まり、黒表示となる。逆に、画素電極２１を正電位とすると、白色粒子は、共通電極２２側（上側）に移動して集まり、白表示となる。このように、表示側の電極に集合する白色粒子の有無や数等に応じて、所望の情報（画像）が表示される。なお、ここでは、電気泳動粒子３４として白色粒子や黒色粒子を用いたが、他の有色粒子を用いてもよい。
【００５２】
また、電気泳動粒子３４としては、無機顔料系の粒子、有機顔料系の粒子または高分子微粒子等を用いることができ、各種粒子を２種以上混合して用いてもよい。また、電気泳動粒子３４の平均粒子径は、例えば、０．０５μｍ以上１０μｍ以下程度のものが用いられ、好ましくは、０．２μｍ以上２μｍ以下程度のものが用いられる。
【００５３】
また、白色粒子の含有量は、分散媒１５、白色粒子および黒色粒子の全重量、すなわち電気泳動分散液に対して３０％以内であり、黒色粒子の含有量は、分散媒１５、白色粒子、黒色粒子の全重量、すなわち電気泳動分散液に対して１０％以内である。このように配分することにより、反射率が４０％以上、および黒色反射率が２％以下になり、表示性能を高くすることができる。
【００５４】
また、本実施形態では、分散媒１５として、−３０℃程度の温度でも電気泳動粒子３４の移動が可能なシリコーンオイルを用いる。シリコーンオイルの粘度は、例えば、１０ｃＰ以下である。シリコーンオイルは、低粘度溶媒であるので、例えば、−３０℃程度の低温でも、電気泳動粒子は５００ｍｓ以下の速度で電極間を泳動することができる。
【００５５】
なお、分散媒１５としては、シリコーンオイルの他、例えば、ブタノールやグリセリン等のアルコール類、ブチルセロソルブ等のセロソルブ類、酢酸ブチル等のエステル類、ジブチルケトン等のケトン類、ペンタン等の脂肪族炭化水素類（流動パラフィン）、アセトニトリル等のニトリル類を用いることもできる。
【００５６】
また、図５に示すように、電気泳動表示装置１０は、前述した、素子基板（第１基板）５１と、対向基板（第２基板）５２と、電気泳動層３３との他に、光源６１と、導光板６２と、補強板７１と、第１可撓性配線基板６５と、第２可撓性配線基板６６とを有している。
【００５７】
この電気泳動表示装置１０が、凹部を備える本体部材２０１と、凹部を塞ぐカバー部材２０２とを有する筐体２００の収納空間内に収納され、筐体２００（本体部材２０１）に設けられた開口部２０３から、導光板６２が露出することで、導光板６２により表示面が構成され、これにより、表示領域Ｅで表示された画像が使用者により視認される。
【００５８】
このような電気泳動表示装置１０において、素子基板（第１基板）５１と対向基板（第２基板）５２とのうち、素子基板５１は、対向基板５２と比較して、大きく形成されている。そして、電気泳動層３３を挾持して素子基板５１と対向基板５２とを重ね合わせることで、素子基板５１の平面に垂直な方向から平面視した際に、対向基板５２から延出する延出部５１ａが形成される。そして、この素子基板５１の延出部５１ａには、データ線１２および走査線１３に、それぞれ独立して、電気的に接続された複数の端子（図示せず）が、延出部５１ａの上面側の縁部に形成されている。
【００５９】
これら端子（第１端子）には、第１可撓性配線基板６５の一端で露出する配線部（図示せず）が、異方性導電接着剤６７を介して電気的に接続されている。そして、第１可撓性配線基板６５の他端で露出する配線部（図示せず）が、電子機器１００が備え、操作部１１０（インターフェイス）に接続された回路基板８１が有する端子８２に、異方性導電接着剤（図示せず）等を介して電気的に接続されている。これにより、電子機器１００における、電気泳動表示装置１０の作動が制御される。
【００６０】
なお、電子機器１００において、回路基板８１は、素子基板５１の下側に配置され、これにより、第１可撓性配線基板６５は、下側に曲げられる（湾曲させられる）ことで、回路基板８１と素子基板５１とを接続する。
【００６１】
また、第１可撓性配線基板６５の厚さは、特に限定されないが、好ましくは０．１ｍｍ程度のものが用いられる。
【００６２】
補強板７１は、延出部５１ａの第１可撓性配線基板６５が接続されている領域、すなわち、データ線１２および走査線１３に接続された端子が形成されている領域に対応して、第１可撓性配線基板６５上に、接合層（図示せず）を介して、接合（固着）されている。
【００６３】
そして、図６に示すように、この補強板７１は、本発明では、素子基板５１の平面に垂直な方向から平面視した際に、延出部５１ａの端面５１１から突出する突出部（オフセット）７１ａを備え、延出部５１ａの端面５１１から突出部７１ａの端面７１１までの距離（オフセット寸法）Ｘが０．１４ｍｍ以上１．００ｍｍ以下となっている。
【００６４】
ここで、回路基板８１と素子基板５１とを接続するために、第１可撓性配線基板６５を下側に屈曲させる必要があるが、この際、補強板７１の形成を省略すると、素子基板（バックプレーン基板）５１の端部と、第１可撓性配線基板（フレキシブル基板）６５とが擦れることとなり、素子基板５１の端部にバリ等が存在していれば、この擦れによる機械的摩耗によって、第１可撓性配線基板６５が備える配線・電極の断線、ショート等の故障モードが懸念される。これに対して、補強板７１を形成することで、第１可撓性配線基板６５を下側に曲げたとしても、突出部７１ａにおいて第１可撓性配線基板６５が補強されている。そのため、素子基板５１の端部と、第１可撓性配線基板６５とが擦れることが防止されることから、第１可撓性配線基板６５が備える配線・電極の断線、ショート等の故障モードの発生が確実に防止される。
【００６５】
なお、第１可撓性配線基板６５が備える配線・電極の断線は、素子基板５１の製造時にその端部にバリ等が残存することに起因すると考えられる。したがって、バリ等を除去することにより、配線・電極の断線を防止することができるが、この場合、バリ等を除去するための研磨工程（レーザー溶断であってもよい。）を追加する必要があり、製造時間の延長、コストの増大を招くと言った問題が生じる。これに対して、本発明のように、補強板７１を第１可撓性配線基板６５に設ける方法によれば、補強板７１を第１可撓性配線基板６５に対して接合するという単純な手法により、素子基板５１の端面と、第１可撓性配線基板６５との直接接触を防止することができるため、安価に信頼性リスクを回避することが可能となる。
【００６６】
また、距離Ｘの大きさ、すなわち、オフセットの寸法は、突出部７１ａを確実に形成するには、素子基板５１寸法公差＋第１可撓性配線基板６５接続公差以上を好ましくは確保する必要があり、例えば、素子基板５１寸法公差±０．１ｍｍ、第１可撓性配線基板６５接続公差は、一般的に第１可撓性配線基板６５が備える電極合せマーク公差としてもよいことから、±０．０３ｍｍの場合、オフセット寸法≧０．１＋０．０３＝０．１３ｍｍとなることから、マージン０．０１〜０．０３ｍｍを考慮して、０．１４ｍｍ以上０．１６ｍｍ以下としている。
【００６７】
さらに、距離Ｘの大きさが０．１４ｍｍ以上０．１６ｍｍ以下の大きさであれば、筐体２００内に、第１可撓性配線基板６５を湾曲させるための収納空間を、筐体２００の大型化を招くことなく、確保することができる。すなわち、電子機器１００の小型化を実現する場合に好ましい設定範囲となる。また、距離Ｘの大きさを、０．１４ｍｍ以上１．００ｍｍ以下にすることで、電子機器１００の筐体外形が大きくなってしまうが、配線基板の接続信頼性を確保させることができるとともに製造ばらつきを緩和させることができる。さらに、距離Ｘの大きさを、０．１４ｍｍ以上０．５０ｍｍ以下にすることにより、電子機器１００の筐体外形の大型化の回避と、配線基板の接続信頼性の確保と、製造負荷の低減と、を実現させることができる。
【００６８】
補強板７１の構成材料としては、第１可撓性配線基板６５と比較して強度の高いものであれば特に限定されず、各種金属材料、各種樹脂材料等を用いることができるが、中でも、ガラスエポキシ系の樹脂材料であることが好ましい。ガラスエポキシ系の樹脂材料は、絶縁性に優れ、比較的容易に入手できることから、好ましく用いられる。
【００６９】
また、補強板７１の接合に用いられる接合層の構成材料としては、特に限定されないが、接着強度・硬度・絶縁性を考慮すると、例えば、エポキシ系接着剤およびアクリル系接着剤等が挙げられ、これらのうちの少なくとも１種を用いることができるが、中でも、エポキシ系接着剤であることが好ましい。光源６１の遮光性を考慮すると、接合層としては黒色のものが好ましく用いられ、エポキシ系接着剤であれば、黒色のものを比較的容易に入手することができる。
【００７０】
光源６１は、導光板６２に光を照射（供給）するためのものであり、第２可撓性配線基板６６を介して、補強板７１上に接合されており、例えば、ＬＥＤ等で構成される。
【００７１】
なお、この光源６１の厚さは、特に限定されないが、通常、光源６１をＬＥＤで構成した場合、０．４ｍｍ程度に設定される。
【００７２】
また、導光板６２は、電気泳動層３３に対応して、対向基板５２上に接合層６３を介して接合されている。この導光板６２は、その縁部（側面）に導光路（図示せず）を備え、かかる導光路に対応するように光源６１が配置され、光源６１により発光された光は、導光路を介して、導光板６２内に導かれる。このような位置関係で光源６１と導光板６２とが配置されたフロントライト構造により、暗所においても、電気泳動粒子３４の泳動により表示された画像を、使用者により視認することができるようになる。
【００７３】
なお、補強板７１は、前記導光路に対応して光源６１を配置させる際に、光源６１の高さの位置（厚さ方向に対する位置）を調整する位置調整用のスペーサー（部材）としても機能する。すなわち、補強板７１は、補強板７１上に第２可撓性配線基板６６を介して光源６１を載置した際に、光源６１が導光路（図示せず）に対応するように、その厚さ（高さ）が設定されている。
【００７４】
この場合、補強板７１の厚さは、電気泳動層３３の厚さ、接合層６３の厚さ、光源６１の厚さ、ならびに、第１および第２可撓性配線基板６５、６６の厚さ等を考慮して設定され、０．３５ｍｍ以上０．５０ｍｍ以下であることが好ましく、特に、０．４５ｍｍ程度に好ましく設定される。これにより、電子機器１００の大型化を招くことなく、光源６１を導光路に対応するように確実に配置させることができる。
【００７５】
なお、接合層６３としては、補強板７１の接合に用いられる接合層で挙げたもののうち、透明性を有するものが用いられる。
【００７６】
また、光源６１は、その下面側に端子（図示せず）を備えており、この端子には、第２可撓性配線基板６６の一端で露出する配線部（図示せず）が、異方性導電接着剤（図示せず）等を介して電気的に接続されている。そして、第２可撓性配線基板６６の他端で露出する配線部（図示せず）が、回路基板８１が有する端子８３に、異方性導電接着剤（図示せず）等を介して電気的に接続されている。これにより、暗所での使用時等の必要時に応じて、光源６１のＯＮ／ＯＦＦの制御が可能となる。
【００７７】
＜＜第２実施形態＞＞
次に、本発明の電気泳動表示装置の第２実施形態について説明する。
【００７８】
図７は、本発明の電気泳動表示装置の第２実施形態の一部を拡大して示す部分拡大縦断面である。
【００７９】
以下、第２実施形態における電気泳動表示装置１０Ａについて、前記第１実施形態における電気泳動表示装置１０との相違点を中心に説明し、同様の事項については、その説明を省略する。
【００８０】
図７に示す電気泳動表示装置１０Ａは、延出部５１ａに備える端子（第１端子）と、第１可撓性配線基板６５とを接続する、異方性導電接着剤６７Ａの構成が異なること以外は、図５、６に示す電気泳動表示装置１０と同様である。
【００８１】
すなわち、第２実施形態の電気泳動表示装置１０Ａでは、異方性導電接着剤６７Ａが、素子基板５１の平面に垂直な方向から平面視した際に、延出部５１ａの端面５１１から突出して設けられ、さらに、かかる構成の異方性導電接着剤６７Ａに対しても、補強板７１の突出部７１ａは、突出して設けられている。
【００８２】
異方性導電接着剤６７Ａを、延出部５１ａの端面５１１から突出する構成とすることで、素子基板５１の端部に残存するバリ等に対して、緩衝材としての機能を発揮させることができるため、第１可撓性配線基板６５が備える配線・電極の断線、ショート等の故障モードの発生をより確実に防止することができる。
【００８３】
＜＜第３実施形態＞＞
次に、本発明の電気泳動表示装置の第３実施形態について説明する。
【００８４】
図８は、本発明の電気泳動表示装置の第３実施形態の一部を拡大して示す部分拡大縦断面である。
【００８５】
以下、第３実施形態における電気泳動表示装置１０Ｂについて、前記第１実施形態における電気泳動表示装置１０との相違点を中心に説明し、同様の事項については、その説明を省略する。
【００８６】
図８に示す電気泳動表示装置１０Ｂは、補強板７１Ｂおよび第１可撓性配線基板６５Ｂの構成が異なること以外は、図５、６に示す電気泳動表示装置１０と同様である。
【００８７】
すなわち、第３実施形態の電気泳動表示装置１０Ｂでは、補強板７１Ｂは、第１可撓性配線基板６５Ｂに一体的に設けられた厚膜部で構成されている。
【００８８】
補強板７１Ｂをかかる構成のものとすることによっても、補強板７１Ｂに、第１実施形態の電気泳動表示装置１０が備える補強板７１と同様の機能を発揮させることができる。
【００８９】
なお、この場合、補強板７１の構成材料としては、絶縁性を有する各種樹脂材料が用いられる。
【００９０】
以上、本発明の電気泳動表示装置および電子機器を、図示の実施形態に基づいて説明したが、本発明は、これに限定されるものではなく、各部の構成は、同様の機能を有する任意の構成のものに置換することができる。また、本発明に他の任意の構成物が付加されていてもよい。また、前述した各実施形態を適宜組み合わせてもよい。
【００９１】
また、前述した実施形態では、隔壁３５が格子状をなしていたが、隔壁３５の構成（平面視形状）としては、特に限定されない。例えば、ハニカム状、多角形状、丸形状、三角形状等に構成されていてもよい。
【００９２】
また、第１基材３１および第２基材４１は、表示側に光透過性を有する材料を用いればよく、ガラス基板の他、プラスチック基板を用いるようにしてもよい。
【００９３】
さらに、電子機器１００を、暗所での使用を想定しない場合には、電子機器１００における、光源６１、導光板６２および第２可撓性配線基板６６の配置を省略することもできる。
【符号の説明】
【００９４】
１０、１０Ａ、１０Ｂ…電気泳動表示装置、１１…画素、１２…データ線、１３…走査線、１５…分散媒、１６…トランジスター、２１…画素電極、２２…共通電極、３１…第１基材、３２…絶縁層、３３…電気泳動層、３４…電気泳動粒子、３５…隔壁、３６…セル、４１…第２基材、４２…封止層、４２ｂ…第２封止層、５１…素子基板、５１ａ…延出部、５２…対向基板、６１…光源、６２…導光板、６３…接合層、６５、６５Ｂ…第１可撓性配線基板、６６…第２可撓性配線基板、６７、６７Ａ…異方性導電接着剤、７１、７１Ｂ…補強板、７１ａ…突出部、８１…回路基板、８２…端子、８３…端子、１００…電子機器、１１０…操作部、２００…筐体、２０１…本体部材、２０２…カバー部材、２０３…開口部、５１１…端面、７１１…端面、Ｅ…表示領域、Ｘ…距離
【図１】
2017049365.tif 000003
【図２】
2017049365.tif 000004
【図３】
2017049365.tif 000005
【図４】
2017049365.tif 000006
【図５】
2017049365.tif 000007
【図６】
2017049365.tif 000008
【図７】
2017049365.tif 000009
【図８】
2017049365.tif 000010